(57)【要約】【課題】遮光フィルムを用いて光照射を制限する構造を実現する場合に、遮光のほかに、塵埃侵入の防止及び表示パネルの固定を同時に実現し、かつ製造時の作業工数を低減し作業性を向上させることができる表示装置及び電子機器を提供すること。【解決手段】枠体１１に対して表示パネル１７を保持する支持プレート２４を取り付けた表示装置であって、前記支持プレート２４は、所定の光通過領域が切り抜かれた光通過用孔部２４１が形成され、該光通過用孔部２４１に対応して前記表示パネル１７の表示部が位置するように前記表示パネル１７の周縁部を保持する複数の切起し２４ａが前記光通過用孔部２４１の周辺部の付近に形成され、前記表示パネル１７を保持する。【選択図】  図１
2006276585.tif 000002
【特許請求の範囲】
【請求項１】
枠体に対して表示パネルを保持する支持プレートを取り付けた表示装置であって、
前記支持プレートは、所定の光通過領域が切り抜かれた光通過用孔部が形成され、該光通過用孔部に対応して前記表示パネルの表示部が位置するように前記表示パネルの周縁部を保持する複数の切起しが前記光通過用孔部の周辺部の付近に形成され、前記表示パネルを保持することを特徴とする表示装置。
【請求項２】
前記支持プレートの前記複数の切起しで形成された開口部が、前記切起しの背面から貼着された粘着部材で塞がれることを特徴とする請求項１に記載の表示装置。
【請求項３】
前記支持プレートにおける前記所定の光通過領域に対応した大きさに光通過用孔部が形成された遮光フィルムを有し、
前記粘着部材が両面粘着部材であり、当該両面粘着部材の一方の粘着面が前記遮光フィルムに貼着され、当該両面粘着部材の他方の粘着面が前記支持プレートに貼着されることにより、前記遮光フィルムと支持プレートとが貼着されることを特徴とする請求項２に記載の表示装置。
【請求項４】
前記両面粘着部材が前記遮光フィルムの外周辺部を越えて配置され、前記両面粘着部材によって前記枠体と前記支持プレートとが貼着固定されることを特徴とする請求項３に記載の表示装置。
【請求項５】
前記両面粘着部材を第１の両面粘着部材とし、前記遮光フィルムの外周辺部及び外周辺部を越える領域には、前記枠体と前記支持プレートとを貼着固定する第２の両面粘着部材が形成されることを特徴とする請求項３に記載の表示装置。
【請求項６】
前記第１の両面粘着部材は光を吸収する部材、前記第２の両面粘着部材は光を反射する部材で形成されることを特徴とする請求項５に記載の表示装置。
【請求項７】
前記支持プレートにおける前記所定の光通過領域に対応した大きさに光通過用孔部が形成された遮光フィルムと両面粘着部材とを有し、
当該両面粘着部材の一方の粘着面が前記遮光フィルムに貼着され、当該両面粘着テープの他方の粘着面が前記支持プレートに貼着されることにより、前記遮光フィルムと支持プレートとが貼着されることを特徴とする請求項２に記載の表示装置。
【請求項８】
前記両面粘着部材が前記遮光フィルムの外周辺部を越えて配置され、前記両面粘着部材によって前記枠体と前記支持プレートとが貼着固定されることを特徴とする請求項７に記載の表示装置。
【請求項９】
前記粘着部材は光を吸収する部材、前記両面粘着部材は光を反射する部材で形成されることを特徴とする請求項７または請求項８に記載の表示装置。
【請求項１０】
請求項１ないし請求項９のいずれかに記載の表示装置を用いて構成されることを特徴とする電子機器。
【発明の詳細な説明】
【技術分野】
【０００１】
本発明は、枠体に対して表示パネルを保持する支持プレートを取り付けた表示装置及び電子機器に関する。
【背景技術】
【０００２】
近年、携帯電話機は音声通話のほかに、文字や画像などの各種情報を表示する表示器を備えたものが多い。その中でも、表示部本体と操作部本体とをヒンジで連結した折畳式の装置は携帯性を有しながら大きな画面の表示ができる表示器を備えることができることから、携帯電話機の主流となっている。ところが、折畳式の携帯電話機は畳んだ状態では表示器が見えないため、最近では、大きな表示器（以下、正面表示器という）の反対側の面にこれより面積の小さい表示器（以下、背面表示器という）を設け、畳んだ状態でも最小限の情報を表示できる折畳式の装置が登場している。
【０００３】
通常、正面表示器及び背面表示器には液晶表示装置が用いられており、その液晶表示装置はバックライト装置を備えている。バックライト装置は、ＬＥＤなどの光源からの光を液晶パネルの背面側に照射する導光板と、導光板と液晶パネルとの間に位置して、所定の光学特性を有した複数のシート（例えば１枚の拡散シートと２枚のプリズムシート）とを備えている。折畳式の携帯電話機の正面表示器及び背面表示器に用いられる液晶表示装置のバックライト装置については、２つの表示器が表示部本体内に背中合わせ存在するものであるから、正面側と背面側とで１つのバックライト装置を共用する構造が既に考えられている。
【０００４】
液晶表示装置のバックライト装置などに設けられる、所定の光学特性を有した複数のシートを備えたフィルタ装置の先行技術としては、特許文献１に記載されているものがある。特許文献１には、導光板と液晶パネルとの間に、互いに積層される複数の光学シートを備え、各シートの耳部は、互いに位置をずらして配置され、それぞれ貼着手段を用いて枠体に貼着されるフィルタ装置が開示され、複数の光学シートを枠体に容易に平滑に保持できるようにしている。
【特許文献１】特開平１０−６８８５７号公報
【発明の開示】
【発明が解決しようとする課題】
【０００５】
しかしながら、特許文献１を含む従来技術には、電子機器に搭載される１つの液晶表示装置のバックライト装置に用いられるフィルタ装置についてその光学シートの取付構造が記載されているのみである。
【０００６】
一方、折畳式の携帯電話機の正面表示器及び背面表示器に用いられる液晶表示装置のバックライト装置を、正面側液晶パネルと背面側液晶パネルとで共用する場合には、これらの液晶パネルの表示部の大きさが異なるために、１つの平面光源を共用する際には、背面側の液晶パネルに照射する照射範囲を背面側液晶パネルの表示部の大きさに制限することが必要である。このために平面光源からの平面光に対して遮光フィルムを用いて光照射不要範囲を制限することが必要となる。しかしながら、このような光照射を制限する構造を実現しようとすると、製造工程において遮光構造以外にも外部からの塵埃が侵入するのを防止しつつ液晶パネルを固定する構造が必要となる。このような遮光と塵埃侵入防止と固定を同時に実現するには、製造工程が複雑になるという問題があった。
【０００７】
そこで、本発明は上記の問題に鑑み、遮光フィルムを用いて光照射を制限する構造を実現する場合に、遮光のほかに、塵埃侵入の防止及び表示パネルの固定を同時に実現し、かつ製造時の作業工数を低減し作業性を向上させることができる表示装置及びこれを用いた電子機器を提供することを目的とするものである。
【課題を解決するための手段】
【０００８】
本発明による表示装置は、枠体に対して表示パネルを保持する支持プレートを取り付けた表示装置であって、前記支持プレートは、所定の光通過領域が切り抜かれた光通過用孔部が形成され、該光通過用孔部に対応して前記表示パネルの表示部が位置するように前記表示パネルの周縁部を保持する複数の切起しが前記光通過用孔部の周辺部の付近に形成され、前記表示パネルを保持することを特徴とする。
【０００９】
これにより、切起しによって表示パネルを保持し、枠体に取り付けることができる。
【００１０】
本発明において、前記支持プレートの前記複数の切起しで形成された開口部が、前記切起しの背面から貼着された粘着部材で塞がれることが好ましい。
【００１１】
これにより、枠体に支持プレートを取り付けた際に、切起しで形成された開口部から塵埃が侵入するのを防止できる表示装置を実現できる。
【００１２】
本発明において、前記支持プレートにおける前記所定の光通過領域に対応した大きさに光通過用孔部が形成された遮光フィルムを有し、前記粘着部材が両面粘着部材であり、当該両面粘着部材の一方の粘着面が前記遮光フィルムに貼着され、当該両面粘着部材の他方の粘着面が前記支持プレートに貼着されることにより、前記遮光フィルムと支持プレートとが貼着されることが好ましい。
【００１３】
これにより、枠体と遮光フィルムと支持プレートとを貼着固定する際に、遮光と塵埃侵入防止と固定を同時に実施可能な表示装置を実現できる。
【００１４】
本発明において、前記両面粘着部材が前記遮光フィルムの外周辺部を越えて配置され、前記両面粘着部材によって前記枠体と前記支持プレートとが貼着固定されることが好ましい。
【００１５】
これにより、枠体に支持プレートを取り付けた際に、遮光フィルムの外周辺部を越えた部分から塵埃が侵入するのを防止できると同時に、枠体と支持プレートの固定が可能な表示装置を実現できる。
【００１６】
本発明において、前記両面粘着部材を第１の両面粘着部材とし、前記遮光フィルムの外周辺部及び外周辺部を越える領域には、前記枠体と前記支持プレートとを貼着固定する第２の両面粘着部材が形成されることがが好ましい。
【００１７】
これにより、枠体と遮光フィルムと支持プレートとを貼着するのに、第１，第２の２つの両面粘着部材を用いて実施できるようにしたものである。
【００１８】
本発明において、前記第１の両面粘着部材は光を吸収する部材、前記第２の両面粘着部材は光を反射する部材で形成されることが好ましい。
【００１９】
これにより、貼着箇所に応じて第１，第２の両面粘着部材をそれぞれ光吸収部材，光反射部材とすることで、光を吸収又は反射させて光を有効に利用することができる。
【００２０】
本発明において、前記支持プレートにおける前記所定の光通過領域に対応した大きさに光通過用孔部が形成された遮光フィルムと両面粘着部材とを有し、当該両面粘着部材の一方の粘着面が前記遮光フィルムに貼着され、当該両面粘着テープの他方の粘着面が前記支持プレートに貼着されることにより、前記遮光フィルムと支持プレートとが貼着されることが好ましい。
【００２１】
これにより、遮光フィルムと支持プレートとが、塵埃侵入防止を兼ねた両面粘着部材を介在して容易に貼着される。
【００２２】
本発明において、前記両面粘着部材が前記遮光フィルムの外周辺部を越えて配置され、前記両面粘着部材によって前記枠体と前記支持プレートとが貼着固定されることが好ましい。
【００２３】
このように、両面粘着部材が遮光フィルムの外周辺部を越えて形成されて配置されることで、その越えた部分が糊しろとなって支持プレートが枠体の周縁部に貼着固定される。
【００２４】
本発明において、前記粘着部材は光を吸収する部材、前記両面粘着部材は光を反射する部材で形成されることが好ましい。
【００２５】
これにより、貼着箇所に応じて粘着部材は光吸収部材で形成し、両面粘着部材は光反射部材で形成することで、光を吸収又は反射させて光を有効に利用することができる。
【００２６】
本発明による電子機器は、上記の本発明の態様のいずれか１つに記載の表示装置を用いて構成されることが好ましい。
【発明の効果】
【００２７】
本発明によれば、遮光フィルムを用いて光照射を制限する構造を実現する場合に、遮光のほかに、塵埃侵入の防止及び表示パネルの固定を同時に実現し、かつ製造時の作業工数を低減し作業性を向上させることができる。
【発明を実施するための最良の形態】
【００２８】
発明の実施の形態について図面を参照して説明する。
【実施例１】
【００２９】
図１は本発明の実施例１の表示装置及びその製造方法を説明する断面図である。(a)は表示装置の要部を分解して示す断面図、(b)はその組立て完了後の表示装置の断面図である。実施例１は後述する図６の折畳式の携帯電話機のＡ−Ａ線断面（表示部本体断面図）に相当している。
【００３０】
図１(a)，(b)において、符号１１は合成樹脂（プラスチック）などにて一体に成型された枠体としてのフレームであり、このフレーム１１は外形が全体四角形状で枠状に構成されている。フレーム１１内には、そのフレーム１１の図示上方に大きな表示面積の正面表示器である正面側液晶パネル１２が配設され、フレーム１１の中間位置には光源（図示せず）からの光を端部より入射して上下の平面に同時に出射することが可能な平面光源としての導光板１３が配設され、フレーム１１の図示下方には正面側液晶パネル１２より小さな表示面積の背面表示器である背面側液晶パネル１７が配設される（図１(b)参照）。
【００３１】
正面側液晶パネル１２は、フレーム１１内面に突出して設けられたリブ１１ａ上に黒色の両面粘着テープ１１ｂを用いて貼着固定されている。
【００３２】
導光板１３と正面側液晶パネル１２との間には、導光板１３の図示上面から上方に順に拡散シート１４、第１のプリズムシート１５、第２のプリズムシート１６が積層されている。第１プリズムシート１５のフィルタ部と、第２プリズムシート１６のフィルタ部とでは、プリズムの長手方向が互いに直交するように、すなわち縦縞と横縞となるように配置されている。
【００３３】
導光板１３の図示下方には、導光板１３の図示下面から下方に順に拡散シート１８、第３のプリズムシート１９、第４のプリズムシート２０が積層されている。第３のプリズムシート１９のフィルタ部と、第４のプリズムシート２０のフィルタ部とでは、第１，第２のプリズムシートの場合と同様にプリズムの長手方向が互いに直交するように、つまり縦縞と横縞となるように配置されている。
【００３４】
そして、第４のプリズムシート２０に近接して面積の小さい背面側液晶パネル１７を遮光フィルム２１及び支持プレート２４を介してフレーム１１の図示下端部に配置固定して、前記導光板１３からの平面光を背面側液晶パネル１７に効果的に導くと共に外部からの塵埃の侵入を防止すことが可能な遮光，塵埃防止及びパネル固定手段が設けられる。
【００３５】
この遮光，塵埃防止及びパネル固定手段は、遮光フィルム２１と該遮光フィルム２１の図示下面に貼着される両面粘着テープ１０と有する遮光フィルム部材（２１，１０）と、一方のプレート面に前記遮光フィルム部材が貼着され、背面側のもう一方のプレート面に液晶パネル１７が取付け固定される支持プレート２４と、を備えている。
【００３６】
上記遮光フィルム部材は、遮光フィルム２１と、該遮光フィルム２１の図示下面に貼着される両面粘着部材としての両面粘着テープ１０とを、両面粘着テープ１０の一方の粘着面１０ａで貼着したものである。両面粘着テープ１０には、遮光フィルム２１における所定の光通過領域２１１に対応して光通過用の孔部が形成されている。また、両面粘着テープ１０の外形は遮光フィルム２１の外周辺部を越えた大きさに形成されており、両面粘着テープ１０によって前記フレーム１１と前記支持プレート２４とが貼着固定される。両面粘着テープ１０としては、黒色テープが適当である。
【００３７】
このように予め遮光フィルム２１と両面粘着テープ１０とを一体化した遮光フィルム部材を形成しておくと、図１(a)の状態から一体化した遮光フィルム部材(１０，２１)を両面粘着テープ１０の粘着面１０ａの一部で前記フレーム１１の端縁部１１ｃに対してずれなく貼着することができる。遮光フィルム２１と両面粘着テープ１０との一体化作業は、平面部材同士の貼着作業であるため機械化することが可能である。（これに対して、遮光フィルム２１を支持プレート２４を貼着して予め一体化する作業は、支持プレート２４に切起し等の凹凸があり手作業となり機械化することが比較的難しい。）
その後、遮光フィルム部材（１０，２１）における両面粘着テープ１０のもう一方の粘着面１０ｂに対して支持プレート２４の一方のプレート面を貼着し、さらに支持プレート２４の反対側の他方のプレート面に液晶パネル１７を複数の切起し２４ａにて保持する構成となっている。即ち、支持プレート２４と液晶パネル１７との取り付けは、複数の切起し２４ａによって囲まれた部分に液晶パネル１７の周縁部を嵌合・装着することによって行われる。
【００３８】
液晶パネル１７を保持・固定するための支持プレート２４は、例えば金属プレートで構成され、導光板側の一方のプレート面が前記遮光フィルム部材（１０，２１）における両面粘着テープ１０のもう一方の粘着面１０ｂと貼着可能とされ、反対側の他方のプレート面に液晶パネル１７を保持可能とされる支持プレートであって、前記遮光フィルム部材における所定の光通過領域２１１に対応して孔部２４１が形成され、該孔部２４１に対応して液晶パネル１７の表示部が位置するように前記液晶パネル１７の周縁部を保持する複数の切起し２４ａが前記孔部２４１の外周辺部分に形成されている。支持プレート２４に対して両面粘着テープ１０の粘着面１０ｂが貼着された時には、支持プレート２４に形成されている開口部としての前記切起し２４ａによる孔２４ｂやその他の孔２４ｃ（図４参照）が両面粘着テープ１０で閉塞されるようになっている。
【００３９】
上記の一体化した遮光フィルム部材（１０，２１）は、製造時の作業性を向上させると共に、図１(b)のように組立てられた状態で、導光板１３からの平面光を背面側液晶パネル１７の表示部の範囲に限定する遮光機能、及び塵埃侵入防止の機能のほかに、フレーム１１に対して支持プレート２４を貼着・固定する機能をも有したものである。
【００４０】
なお、両面粘着テープ１０に代えて背面側にのみ粘着面１０ｂ’を備えた片面粘着テープ１０’（図示せず）を使用し、且つ遮光フィルム２１を無くし、支持プレート２４にはその外周端縁部にフレーム１１に係合する係合手段を設けた構成とすることにより、片面粘着テープ１０’の一方の粘着面１０ｂ’のみを粘着可能とし、片面粘着テープ１０’の一方の粘着面１０ｂ’を支持プレート２４の一方のプレート面（導光板側）に貼着した後、このように支持プレート２４及び片面粘着テープ１０’を貼着して一体化したものを、支持プレート２４の前記係合手段にてフレーム１１の外周端部又は外周面に設けた被係合手段と係合させる。これによって、支持プレート２４及び片面粘着テープ１０’の一体化したものをフレーム１１に係合して取り付けた後、支持プレート２４の背面側の複数の切起し２４ａにて囲まれた部分に液晶パネル１７の周縁部を嵌合して取り付けるようにしてもよい。この場合の片面粘着テープ１０’の機能は、複数の切起しによる複数の孔２４ｂを支持プレート２４の内面側（導光板側）から塞いで、外部からの塵埃の侵入を防止すると共に遮光するものとなる。
【実施例２】
【００４１】
図２は本発明の実施例２の表示装置及びその製造方法を説明する断面図である。(a)は表示装置の要部を分解して示す断面図、(b)はその組立て完了後の表示装置の断面図である。実施例２は後述する図６の折畳式の携帯電話機のＡ−Ａ線断面（表示部本体断面図）に相当している。
【００４２】
図２(a)，(b)において、符号１１は合成樹脂（プラスチック）などにて一体に成型された枠体としてのフレームであり、このフレーム１１は外形が全体四角形状で枠状に構成されている。フレーム１１内には、そのフレーム１１の図示上方に大きな表示面積の正面表示器である正面側液晶パネル１２が配設され、フレーム１１の中間位置には光源（図示せず）からの光を端部より入射して上下の平面に同時に出射することが可能な平面光源としての導光板１３が配設され、フレーム１１の図示下方には正面側液晶パネル１２より小さな表示面積の背面表示器である背面側液晶パネル１７が配設される（図２(b)参照）。
【００４３】
正面側液晶パネル１２は、フレーム１１内面に突出して設けられたリブ１１ａ上に黒色の両面粘着テープ１１ｂを用いて貼着固定されている。
【００４４】
導光板１３と正面側液晶パネル１２との間には、導光板１３の図示上面から上方に順に拡散シート１４、第１のプリズムシート１５、第２のプリズムシート１６が積層されている。第１プリズムシート１５のフィルタ部と、第２プリズムシート１６のフィルタ部とでは、プリズムの長手方向が互いに直交するように、すなわち縦縞と横縞となるように配置されている。
【００４５】
導光板１３の図示下方には、導光板１３の図示下面から下方に順に拡散シート１８、第３のプリズムシート１９、第４のプリズムシート２０が積層されている。第３のプリズムシート１９のフィルタ部と、第４のプリズムシート２０のフィルタ部とでは、第１，第２のプリズムシートの場合と同様にプリズムの長手方向が互いに直交するように、つまり縦縞と横縞となるように配置されている。
【００４６】
そして、第４のプリズムシート２０に近接して面積の小さい背面側液晶パネル１７を遮光フィルム２１及び支持プレート２４を介してフレーム１１の図示下端部に配置固定して、前記導光板１３からの平面光を背面側液晶パネル１７に効果的に導くと共に外部からの塵埃の侵入を防止すことが可能な遮光，塵埃防止及びパネル固定手段が設けられる。
【００４７】
この遮光，塵埃防止及びパネル固定手段は、遮光フィルム２１と該遮光フィルム２１の図示下面に貼着される第１，第２の両面粘着部材としての第１，第２の両面粘着テープ２３，２２とを含む遮光フィルム部材と、一方のプレート面に前記遮光フィルム部材が貼着され、背面側のもう一方のプレート面に液晶パネル１７が取付け固定される支持プレート２４と、を備えている。
【００４８】
次に、上記の遮光，塵埃防止及びパネル固定手段の製造方法について図２(a)，(b)、図３及び図４を参照して説明する。図３は遮光フィルム部材を構成する３つの部材を分解した状態を示す断面図、図４はフレーム，遮光フィルム及び第１，第２の両面粘着テープを分解して示す詳細な分解斜視図である。ここでは、前段の製造工程で既に、フレーム１１に対して、液晶パネル１２，導光板１３，拡散シート１４及び第１，第２のプリズムシート１５，１６、拡散シート１８及び第３，第４のプリズムシート１９，２０が従来から実施されている貼着方法を用いて組み立てられているものとし、それ以降の上記遮光，塵埃防止及びパネル固定手段の製造方法についてのみ説明する。
【００４９】
先ず、３つの部材、即ち図３に示すように遮光フィルム２１，第１の両面粘着テープ２３，第２の両面粘着テープ２２を用意する。
【００５０】
遮光フィルム２１は、図４に示すように所定の大きさの領域が光通過領域２１１として切り抜かれ、平面光源たる導光板１３からの平面光を前記所定の光通過領域２１１を通して通過可能とする一方、前記所定の光通過領域２１１以外の領域を遮光する光透過率の低い光学フィルムで形成され、四隅には枠状の前記フレーム１１の内周部分の四隅に係合して係着可能な係合爪２１２，２１３，２１４，２１５が設けられている。
【００５１】
フレーム１１の内周部分の四隅には、図４に示すように遮光フィルム２１の四隅に設けた係合爪２１２，２１３，２１４，２１５に係合する係合部１１１〜１１４（１１３は図示せず）が設けられている。
【００５２】
第２の両面粘着テープ２２は、平面光源からの平面光が洩れ込んでテープに当たった際にこれに反射させて光を導光板側に送り再利用可能とするために白テープで形成され、両面に粘着材を備え、所定の細い幅を持っており枠状に形成され、外形の大きさが前記遮光フィルム２１の外形より若干大きく形成されており、前記遮光フィルム２１の外周辺部分に配置され、一方の粘着面２２ａの粘着力で前記遮光フィルム２１の外周辺部に貼着され、遮光フィルム２１の外周辺部を越えた部分の粘着面２２ａがフレーム１１の端部の面に貼着可能とされている。
【００５３】
第２の両面粘着テープ２２は、遮光フィルム２１の外周部分とフレーム１１の端縁部間の隙間を塞ぐので、内部光が外部へ洩れるのを防ぐ遮光機能を有すると共に外部からの塵埃の侵入を防ぐ機能を備えている。
【００５４】
第１の両面粘着テープ２３は、平面光源からの平面光が光通過領域を通過する際に当たったときに光を吸収可能とするために黒テープで形成され、かつ外形は前記第２の両面粘着テープ２２の枠形状の内部空間内に入るに足る大きさに形成されており、両面に粘着材を備え、前記遮光フィルム２１の前記所定の光通過領域２１１の外周辺部を取り囲むように所定の幅に枠状に形成され、一方の粘着面２３ａの粘着力で前記遮光フィルム２１の前記所定の光通過領域２１１以外の外周辺部に貼着可能とされている。
【００５５】
第１の両面粘着テープ２３は、後述する支持プレート２４に設けられた光通過用孔部２４１の外周辺部分に形成した複数の切起し２４ａによる複数の孔２４ｂを覆いこれを塞ぐことが可能であるので、支持フレーム２４の複数の孔２４ｂ，２４ｃからの塵埃の侵入を防止する機能を備えている。
【００５６】
表示装置の製造には、作業性を向上させるために、遮光フィルム２１に対して第１の両面粘着テープ２３及び第２の両面粘着テープ２２を、第１，第２の両面粘着テープ２３，２２の粘着力を用いて貼着し予め一体化することによって遮光フィルム部材を形成しておく。
【００５７】
すなわち、平面光源からの平面光を所定の光通過領域２１１で通過させ所定の光通過領域２１１以外の領域を遮光する光透過性の低い遮光フィルム２１に対して、
両面２２ａ，２２ｂに粘着材を備えた第２の両面粘着テープ２２を、その一方の粘着面２２ａの粘着力で前記遮光フィルム２１の外周辺部部及びその外周辺部を所定の幅だけ超えて帯状に配置して貼着し、
かつ両面２３ａ，２３ｂに粘着材を備えた第１の両面粘着テープ２３を、その一方の粘着面２３ａの粘着力で前記遮光フィルム２１の前記所定の光通過領域２１１以外の光通過領域２１１の外周辺部に帯状に配置して貼着し、
これによって前記遮光フィルム２１に対して前記第１，第２の両面粘着テープ２３，２２を一体に貼着した遮光フィルム部材を予め作成しておく。
【００５８】
図５(a)は、このようにして作成された遮光フィルム部材を、第２の両面粘着テープ２２の粘着面２２ａの一部で前記フレーム１１の端縁部１１ｃに対して貼着した状態を示している。
【００５９】
一方、液晶パネル１７を保持・固定するための支持プレート２４は、例えば金属プレートで構成され、導光板側の一方のプレート面が前記遮光フィルム部材（２１，２３，２２）における第１，第２の両面粘着テープ２３，２２のもう一方の粘着面２２ｂ，２３ｂと貼着可能とされ、反対側の他方のプレート面に液晶パネル１７を保持可能とされる支持プレートであって、前記遮光フィルム部材における所定の光通過領域２１１に対応して孔部２４１が形成され、該孔部２４１に対応して液晶パネル１７の表示部が位置するように前記液晶パネル１７の周縁部を保持する切起し２４ａが前記孔部２４１の外周辺部分に形成され、粘着テープの貼着時には開口部としての前記切起し２４ａによる孔２４ｂやその他の孔２４ｃが前記第１の両面粘着テープ２３で閉塞可能となっている。
【００６０】
支持プレート２４の外周辺縁部の３箇所には、図４に示すようにフレーム１１の外周辺縁部の対応する３箇所に設けられた係合部１１５〜１１７（１１７は図示せず）に係合する係合爪２４２〜２４４（２４４は図示せず）が設けられている。
【００６１】
図５(b)は、図５(a)における遮光フィルム部材（２１〜２３）をフレーム１１に対して貼着した状態にさらに前記支持プレート２４を重ねて配設した状態を示している。この状態では、遮光フィルム部材における第１，第２の両面粘着テープ２３，２２の粘着面２２ｂ，２３ｂに対して支持プレート２４の一面が貼着される。
【００６２】
このように支持プレート２４を貼着した後に、図２(b)に示すように液晶パネル１７を支持プレート２４の複数の切起し２４ａで囲まれた部分に嵌合して装着する。実際には、図２(b)の構造に対してさらに外装部材で外装して完成される。
【００６３】
図２(b)の状態では、正面側液晶パネル１２と背面側液晶パネル１７が枠体であるフレーム１１の図示上下両面に貼着固定され、フレーム１１内のほぼ中間位置に配設される平面光源としての導光板１３から平面光が正面側液晶パネル１２及び背面側液晶パネル１７に同時に入射可能となる。
【００６４】
以上述べた本発明の第１の製造方法を要約すると、平面光を照射する平面光源（導光板１３）が取り付けられたフレーム１１に対して、平面光源の平面光照射領域より小さな表示面積を有する背面側液晶パネル１７を取り付ける際には、先ず、（１）所定の光通過領域２１１を有する光透過率の低い黒色の遮光フィルム２１の背面側に、遮光フィルム２１の所定の光通過領域２１１の周辺部に帯状に一方の粘着面２３ａが光通過領域２１１を取り囲むようにして貼着される第１の両面粘着テープ２３と、遮光フィルム２１の外周辺部分に一方の粘着面２２ａの一部分が帯状に貼着され且つ前記フレーム１１の端縁部１１ｃに前記一方の粘着面２２ａのさらに外周辺の部分が貼着可能な第２の両面粘着テープ２２と、を一体に貼着してなる遮光フィルム部材を予め用意し、（２）この遮光フィルム部材を第２の両面粘着テープ２２の粘着面２２ａの一部で前記フレーム１１の端縁部１１ｃに貼着固定する。次に、（３）所定の光通過領域２１１に対応した大きさの光通過用孔部２４１を有した支持プレート２４の一面（内面）を、前記フレーム１１に貼着固定済みの遮光フィルム部材の背面側の粘着面２２ｂ及び２３ｂに貼着する。その後、（４）支持プレート２４のもう一方の面上に切り起こされている複数の切起し２４ａで囲まれた領域（光通過用孔部２４１を含む領域）に、背面側液晶パネル１７を嵌合装着して取り付ける。
【００６５】
このように、遮光フィルム２１の一面側に、両面に粘着材を備えた第１，第２の両面粘着テープ２３，２２の一方の粘着面２２ａ，２３ａを貼着したもの（遮光フィルム部材）を予め作成しておき、この遮光フィルム部材の一方の粘着面２２ａの一部の粘着面を用いて、遮光フィルム部材を枠体としてのフレーム１１に貼着固定し、その後に遮光フィルム部材のもう一方の粘着面２２ｂ，２３ｂに、液晶パネル用の支持プレート２４を貼着固定するので、遮光フィルム２１を液晶パネル保持用の支持プレート２４に取り付ける際に第１，第２の両面粘着テープ２３，２２の２種類のテープを貼り付ける工程を簡単化することが可能となる。即ち、一体化した１つの遮光フィルム部材（２１〜２３）で、遮光及び塵埃防止並びに固定の機能を賄うことができる。
【００６６】
これに対して、第２の方法として、２種類の粘着テープの貼り付け工程では、遮光フィルム２１の外周辺部分及びこれを越える幅で枠状の第２の両面粘着テープ２２を帯状に貼り付け、同時にそれをフレーム１１の端縁部１１ｃに貼り付けることによって、遮光フィルム２１をフレーム１１の端縁部１１ｃに貼着固定する。その後、背面側にのみ粘着面２３ｂ’を備えた塵埃侵入防止用の片面粘着テープ２３’（図示せず）（これは第１の両面粘着テープ２３と同形である）を、支持プレート２４の光通過用孔部２４１の周辺部に帯状に前記粘着面２３ｂ’が光通過用孔部２４１を取り囲むようにして支持プレート２４に貼着し、これによって作成された片面粘着テープが貼着済みの支持プレート２４を、前述のフレーム１１に固定された遮光フィルム２１の前記第２の両面粘着テープ２２の背面側粘着面２２ｂに重ねるようにして貼着固定する。その後に、支持プレート２４の背面に切り起こされている複数の切起し２４ａで囲まれた領域（光通過用孔部２４１を含む領域）に、背面側液晶パネル１７を嵌合装着して取り付けるようする。
【００６７】
このように、第２の方法では、「背面側にのみ粘着面２３ｂ’を備えた塵埃侵入防止用の片面粘着テープ２３’（これは第１の両面粘着テープ２３と同形である）を、支持プレート２４の光通過用孔部２４１の周辺部に帯状に前記粘着面２３ｂ’が光通過用孔部２４１を取り囲むようにして貼着する」工程が入り、これは支持プレート２４に切起しなどの凹凸があるために機械化作業が難しく人手で行う必要があり、手作業の分、製造工程が複雑になるという問題を有する。なお、本発明の第１の方法における、３つの部材２１，２３，２２を一体化して１つの遮光フィルム部材（２１〜２３）を作成する作業は、３つの部材２１，２３，２２が何れも平面的な部材であるため機械化が可能である。
【００６８】
本発明の表示装置及びその第１の製造方法によれば、この製造工程の煩雑さを無くし作業性を向上させることが可能となる。
【００６９】
図６は本発明に係る電子機器の一例を示す斜視図である。(a)は開状態、(b)は閉状態を示している。
【００７０】
図６(a)，(b)に示すように、符号１００は本発明を適用した電子機器としての折畳式携帯電話機を示し、表示部本体１０２と操作部本体１０３とが、互いの一端部同士をヒンジ部１０４を介して連結され、これにより開閉自在に形成され、例えば携帯時には表示部本体１０２と操作部本体１０３とが互いに正面１０２Ａ，１０３Ａを対向させた閉状態（図６(b)参照）で使用され、通話時には表示部本体１０２と操作部本体１０３とが互いの正面１０２Ａ，１０３Ａを引き離した開状態（図６(a)参照）で使用される。
【００７１】
表示部本体１０２には、その正面１０２Ａの中央部分に液晶パネル等でなる主表示部１０５が設けられており、開状態時、当該主表示部１０５に電波の受信状態、電池残量、電話帳リスト、発信及び着信履歴、現在時刻の他、電子メール文、ホームページ等を表示し得る。表示部本体正面１０２Ａには、主表示部１０５の上側にスピーカ１０６が設けられており、当該スピーカ１０６を介して通話相手の音声や着信音等を出力し得る。
【００７２】
一方、操作部本体１０３には、その正面１０３Ａの中央部分に電源キーや数字キー、発呼キー、終話キー等の操作キー群１０７が設けられる。
【００７３】
操作部本体正面１０３Ａには、操作キー群１０７の下側にマイクロフォン１０８が設けられており、当該マイクロフォン１０８によって通話時のユーザの音声を集音し得る。
【００７４】
操作部本体３には、外部に無線通信用アンテナ１０９が設けられており、当該無線通信用アンテナ１０９を介して無線通信システムの基地局（図示せず）と通信し得る。
【００７５】
このような構成に加えてこの折畳式携帯電話機１００の場合、表示部本体１０２の背面１０２Ｂの中央部分には、主表示部１０５よりも表示画面の小さい液晶パネル等でなる副表示部１１０が設けられており、閉状態時、当該副表示部１１０に電波の受信状態、電池残量、現在時刻、着信通知及び電子メールの受信通知等を表示し得る。
【産業上の利用可能性】
【００７６】
本発明は、表示装置、特にバックライト装置を必要とする、例えば透過型の液晶表示装置に用いて有用である。電子機器としては、バックライト装置からの平面光を特定の範囲に限定して使用する、例えば折畳式携帯電話機の背面側液晶表示装置に用いて有用である。
【図面の簡単な説明】
【００７７】
【図１】本発明の実施例１の表示装置及びその製造方法を説明する断面図。
【図２】本発明の実施例２の表示装置及びその製造方法を説明する断面図。
【図３】遮光フィルム部材を構成する３つの部材を分解した状態を示す断面図。
【図４】フレーム，遮光フィルム及び第１，第２の両面粘着テープを分解して示す詳細な分解斜視図。
【図５】図２で説明する製造時の組立て過程を示す斜視図。
【図６】本発明に係る電子機器の一例を示す斜視図。
【符号の説明】
【００７８】
１１…フレーム（枠体）、１３…導光板（平面光源）、１７…背面側液晶パネル（表示パネル）、１８…拡散シート、１９，２０…第１，第２のプリズムシート、２１…遮光フィルム、２３…第１の両面粘着テープ（第１の両面粘着部材）、２２…第２の両面粘着テープ（第２の両面粘着部材）、２３ａ，２３ｂ，２２ａ，２２ｂ…粘着材（粘着面）、２４…支持プレート、２４ａ…切起し、２４ｂ…切起しによる孔、２１１…光通過領域、２４１…光通過用孔部。  
【図１】
2006276585.tif 000003
【図２】
2006276585.tif 000004
【図３】
2006276585.tif 000005
【図４】
2006276585.tif 000006
【図５】
2006276585.tif 000007
【図６】
2006276585.tif 000008